(57)【要約】【課題】紙パックを収容し確実に固定することができる紙パック用ケースを提供する。【解決手段】本体に収容された紙パックを上方から押えて固定する固定手段を有する紙パック用ケースであって、前記固定手段の２つの側面にそれぞれ設けられた軸が、前記本体の両側面に設けられた取り付け孔に挿入されて保持されることにより、前記固定手段は前記本体の上方を回動可能に前記本体に取り付けられ、前記軸は、前記取り付け孔の第１孔および第２孔のそれぞれにおいて回転可能に保持され、さらに、前記第１孔と前記第２孔とを上下に移動可能であり、前記軸が前記第１孔に保持されている時に、前記固定手段は前記本体内に収容された前記紙パックの上方で回動可能であり、前記軸を前記第１孔から前記第２孔に移動させた状態では、前記固定手段は前記本体内に収容された前記紙パックの上端部と当接して前記紙パックを前記容器内に固定する。【選択図】図１
2014088211.tif 000002
【特許請求の範囲】
【請求項１】
紙パックを内部に収容する本体、前記本体の背面に設けられたハンドル、および、前記本体に収容された前記紙パックを上方から押えて固定する固定手段からなる紙パック用ケースであって、
前記本体は、前面、背面、２つの側面、および、底面から構成され、
前記固定手段は２つの側面および上面の３つの面で構成され、前記固定手段の２つの側面にそれぞれ設けられた軸が、前記本体の両側面に設けられた取り付け孔に挿入されて保持されることにより、前記固定手段は前記本体の上方を回動可能に前記本体に取り付けられ、
前記取り付け孔は、上下に配置され互いに接続された第１孔および第２孔を有し、
前記軸は、前記第１孔および前記第２孔のそれぞれにおいて回転可能に保持され、さらに、前記第１孔と前記第２孔とを上下に移動可能であり、
前記軸が前記第１孔に保持されている時に、前記固定手段は前記本体内に収容された前記紙パックの上方で回動可能であり、
前記軸を前記第１孔から前記第２孔に移動させた状態では、前記固定手段は前記本体内に収容された前記紙パックの上端部と当接して前記紙パックを前記容器内に固定することを特徴とする紙パック用ケース。
【請求項２】
前記取り付け孔は、前記第１孔と前記第２孔との間に設けられた第３孔を有し、前記第３孔から前記固定手段の軸を取り外すことができることを特徴とする請求項１に記載の紙パック用ケース。  
【請求項３】
前記固定手段の２つの側面の外側面に、リブが水平方向に形成されていることを特徴とする請求項１または２に記載の紙パック用ケース。
【請求項４】
前記本体の前面の上端部には、切り欠きが設けられていることを特徴とする請求項１から３のいずれか１項に記載の紙パック用ケース。
【請求項５】
前記本体が、樹脂によって透明又は半透明に形成されていることを特徴とする請求項１から４のいずれか１項に記載の紙パック用ケース。
【請求項６】
前記固定手段の上面にスリットを設け、前記本体内に収容された前記紙パックの上端部に前記固定手段が当接する時、前記スリットに前記紙パックの上端部の一部が挿入されることを特徴とする請求項１から５のいずれか１項に記載の紙パック用ケース。
【発明の詳細な説明】
【技術分野】
【０００１】
本発明は、牛乳等の入った紙パックを収容する紙パック用ケースに関する。
【背景技術】
【０００２】
牛乳やジュースなどを販売する際に紙パックが多数用いられている。例えば、牛乳であれば１Ｌの紙パックに入れた状態で店頭で販売されており、紙パックの形状および大きさは、用量によってほぼ統一されている。
【０００３】
紙パックは片手では持ちにくく、中身をコップなどに注ぐ際には、扱いにくい。このような問題点を解決するために、紙パックを収容した状態で使用する容器（特許文献１，２参照）が存在する。
【先行技術文献】
【特許文献】
【０００４】
【特許文献１】特開２００５−１４５５５７号公報
【特許文献２】特開２００７−２５４００１号公報
【発明の概要】
【発明が解決しようとする課題】
【０００５】
紙パックを使用する際、特に、冷蔵庫で冷やした状態の紙パックは外に出すと結露によって紙パックの表面が濡れるているために、手が滑り易く扱いにくいと言う問題がある。また、老人や子供の場合、握力が弱くてしっかりと紙パックを握ることが出来ないと言う問題がある。
【０００６】
このような問題を解消するために、特許文献１，２に記載されているような紙パックを収容する容器を用いたとしても、前記容器は紙パックを容器内に固定するために紙パックの側面を押圧する方法を用いているために、紙パックが変形したり、紙パックを傾けすぎた場合に確実に紙パックを固定することが出来ないと言う問題がある。
【０００７】
そこで、本発明は従来の紙パック使用時の問題を解決するために、紙パックを収容し確実に固定することができ、さらにテーブル等に置く時にも安定し、さらに中の紙パックが見え易くした紙パック用ケースを提供することを目的とする。
【課題を解決するための手段】
【０００８】
本発明の紙パック用ケースは、紙パックを内部に収容する本体、前記本体の背面に設けられたハンドル、および、前記本体に収容された前記紙パックを上方から押えて固定する固定手段からなる紙パック用ケースであって、前記本体は、前面、背面、２つの側面、および、底面から構成され、前記固定手段は２つの側面および上面の３つの面で構成され、前記固定手段の２つの側面にそれぞれ設けられた軸が、前記本体の両側面に設けられた取り付け孔に挿入されて保持されることにより、前記固定手段は前記本体の上方を回動可能に前記本体に取り付けられ、前記取り付け孔は、上下に配置され互いに接続された第１孔および第２孔を有し、前記軸は、前記第１孔および前記第２孔のそれぞれにおいて回転可能に保持され、さらに、前記第１孔と前記第２孔とを上下に移動可能であり、前記軸が前記第１孔に保持されている時に、前記固定手段は前記本体内に収容された前記紙パックの上方で回動可能であり、前記軸を前記第１孔から前記第２孔に移動させた状態では、前記固定手段は前記本体内に収容された前記紙パックの上端部と当接して前記紙パックを前記容器内に固定することを特徴とする。
【０００９】
前記取り付け孔は、前記第１孔と前記第２孔との間に設けられた第３孔を有し、前記第３孔から前記固定手段の軸を取り外すことができる。
【００１０】
前記固定手段の２つの側面の外側面に、リブが水平方向に形成されており、また、前記本体の前面の上端部には、切り欠きが設けられており、そして、前記本体が、樹脂によって透明又は半透明に形成されている。
【００１１】
さらに、前記固定手段の上面にスリットを設け、前記本体内に収容された前記紙パックの上端部に前記固定手段が当接する時、前記スリットに前記紙パックの上端部の一部が挿入される構造を用いる。
【発明の効果】
【００１２】
本発明の紙パック用ケースは、本体に収容された紙パックを上方から押えて固定する固定手段を有する紙パック用ケースであって、前記固定手段の２つの側面にそれぞれ設けられた軸が、前記本体の両側面に設けられた取り付け孔に挿入されて保持されることにより、前記固定手段は前記本体の上方を回動可能に前記本体に取り付けられ、前記軸は、前記取り付け孔の第１孔および第２孔のそれぞれにおいて回転可能に保持され、さらに、前記第１孔と前記第２孔とを上下に移動可能であり、前記軸が前記第１孔に保持されている時に、前記固定手段は前記本体内に収容された前記紙パックの上方で回動可能であり、前記軸を前記第１孔から前記第２孔に移動させた状態では、前記固定手段は前記本体内に収容された前記紙パックの上端部と当接して前記紙パックを前記容器内に固定することにより、固定手段によって紙パックを簡単に、そして確実に固定することが可能であり、そして、紙パックを本体に固定した状態で、前記ハンドルによって持ち運び、および紙パック内の牛乳等を注ぐ動作を、誰でも簡単に行うことができるようになる。
【００１３】
前記取り付け孔は、前記第１孔と前記第２孔との間に設けられた第３孔を有し、前記第３孔から前記固定手段の軸を取り外すことができるので、固定手段を簡単に取り外して紙パック用ケースを綺麗に洗浄することができる。
【００１４】
前記固定手段の２つの側面の外側面に、リブが水平方向に形成されていることにより、前記リブを用いて前記固定手段の軸を前記第１孔、前記第２孔、前記第３孔を相互に移動させることが容易になり、また、前記本体の前面の上端部には、切り欠きが設けられていることにより、前記本体内の紙パックの注ぎ口を開けやすくなる。そして、前記本体が、樹脂によって透明又は半透明に形成されていることにより、本体内の紙パックが何の紙パックであるかを簡単に確認することができる。
【００１５】
さらに、前記固定手段の上面にスリットを設け、前記本体内に収容された前記紙パックの上端部に前記固定手段が当接する時、前記スリットに前記紙パックの上端部の一部が挿入されることにより、前記固定手段によって前記紙パックが開くのを防止することが可能となる。
【図面の簡単な説明】
【００１６】
【図１】本発明の紙パック用ケースの斜視図である。
【図２】本発明の紙パック用ケースの正面図である。
【図３】本発明の紙パック用ケースの背面図である。
【図４】本発明の紙パック用ケースの側面図である。
【図５】本体の孔の拡大図である。
【図６】固定手段の正面図である。
【図７】紙パックを紙パック用ケースに収容し固定する手順を示す側面図である。
【図８】紙パックを紙パック用ケースに収容し固定する手順を示す側面図である。
【図９】紙パックを紙パック用ケースに収容し固定した状態の側面図および正面図である。
【図１０】紙パック用ケースを傾けて、紙パック内の液体を注いでいる状態を示す側面図である。
【図１１】本発明の別の形態の紙パック用ケースの斜視図である。
【図１２】紙パックを別の形態の紙パック用ケースに収容し固定した状態の側面図である。
【図１３】紙パックを別の形態の紙パック用ケースに収容し固定した状態の正面図である。
【発明を実施するための形態】
【００１７】
本発明を、図を用いて以下に詳細に説明する。図１が本発明の紙パック用ケース１の斜視図であり、図２〜４が本発明の紙パック用ケース１の正面図、背面図、側面図である。
【００１８】
本発明の紙パック用ケース１は、紙パック２０を収容して固定した状態で使用するものであり、図１に示すように、上部が開口となった本体２、前記本体２の背面に設けられたハンドル３、および前記紙パック２０を上方から押えて固定する固定手段４からなる。
【００１９】
前記本体２は、前面、背面、２つの側面、および背面から構成され、内部に紙パック２０が収容可能な大きさに形成されており、ここでは１Ｌの紙パックを収容することを想定した大きさとしている。また、前記本体２の形状は、紙パック２０の出し入れのし易さ、製造方法等を考慮して、上端に対して下端が狭くなる形状としている。そして、前記本体２の前面の上端部には、切り欠き５を設けている。前記切り欠き５は前記紙パック２０の注ぎ口を開き易くするために設けたものである。そして、前記本体２の底面の中央には水抜き等の目的で孔を開けておく。
【００２０】
前記ハンドル３は、前記本体２の背面に設けられ、手の小さい子供でも握り易い形状、大きさとしている。そして、前記ハンドル３は変形可能な形状、例えば、湾曲し易い曲面を有する形状に、変形可能な材質で形成されている。前記ハンドル３は前記本体２と一体成形されており、Ｐ．Ｐ等の樹脂によって成形されている。前記ハンドル３が変形する方向は、前記本体２に近づいて、前記ハンドル３が前記本体２から水平方向に突出する量が少なくなる方向である。
【００２１】
このような前記ハンドル３の変形は、前記紙パック用ケース１を使用する際に、冷蔵庫に入れる際に効果を奏する。冷蔵庫には扉の内側部分に紙パック、ペットボトル等を収容するスペースが設けられているが、紙パック、ペットボトルの大きさに合わせてスペースが形成されているために、同じスペースに紙パック用ケース１を収容した場合に、紙パック等よりも大きなスペースを占用すると、他の物を収容するスペースがこれまでよりも少なくる。そこで、前記ハンドル３を変形させて少しでも占用するスペースを少なくすることで、従来と同じだけの紙パック、ペットボトルを収容するスペースを確保することが可能となる。
【００２２】
前記本体２の背面は、他の面に比べて少し高く形成されており、前記紙パック２０のホールド性を高めている。本発明の紙パック用ケース１は、例えば、ＰＰ（ポリプロピレン）のような樹脂によって製造する。そして、前記本体２と前記ハンドル３は一体成形とする。また、収容した紙パック２０が外から見えるように、ＰＰ等の樹脂によって半透明または透明に形成する。これにより、前記本体２内の紙パック２０が何であるかを簡単に確認できるようにし、紙パック２０の中身を間違うことを防止することができる。
【００２３】
前記本体２、前記ハンドル３、および前記固定手段４を樹脂成形する場合は、インジェクション用金型を用いた成形機によって成形する。この時に、前記本体２が上端に対して下端が狭くなる形状としていると、金型から取り出し易くなるので作業効率が良くなる。しかしながら、前記紙パック用ケース１の材質、色、製造方法等はこれらに限定されるものではなく、様々な他の形態を用いることも可能である。
【００２４】
前記本体２の両側面には、図４，５に示すような、前記固定手段４を取り付けるための取り付け孔６が設けられている。前記取り付け孔６は、上下に配置された第１孔７および第２孔８、そして、前記第１孔７と前記第２孔８との間に配置された第３孔９の３つの孔から構成される。
【００２５】
前記第１孔７と前記第２孔８は同じ直径の円形部分を有し、前記第３孔９は、前記第１孔７および前記第２孔８よりも直径の大きい円形部分を有している。図５に示すように、第１孔７、第３孔９、第２孔８は上から順に縦方向に配置され、接続部分を介して前記第１孔７と前記第３孔９、前記第３孔９と前記第２孔８とが接続されて前記取り付け孔６を形成しており、後述する固定手段４の軸１０が３つの孔７，８，９内を移動可能となっている。
【００２６】
前記第１孔７と前記第３孔９との接続部分、および前記第２孔８と前記第３孔９との接続部分は、前記第１孔７および前記第２孔８の直径よりも幅が狭くなっている。そして、前記軸１０の直径を、前記第１孔７および前記第２孔８の直径よりも小さく、かつ接続部分の幅よりも大きくすることで、前記第１孔７および前記第２孔８内に位置する前記軸１０は、前記第１孔７および前記第２孔８内に回転可能に保持される。そして、力を加えれば、前記軸１０は、接続部を超えて３つの孔７，８，９を移動可能となっている。
【００２７】
前記取り付け孔６および前記軸１０の各寸法の一例を以下に示す。前記第１孔７および前記第２孔８の直径を４ｍｍ、前記第３孔９の直径を５．４ｍｍ、前記接続部分の幅を３．２ｍｍとし、前記固定手段４の前記軸１０の直径を３．８ｍｍとする。このような寸法とすることにより、前記軸１０は前記第１孔７および前記第２孔８内に回転可能に保持される。このような寸法は一例であり、適宜変更可能である。
【００２８】
前記取り付け孔６に回転可能に保持される固定手段４は、図１，６に示すように、両側面および上面の３つの面で構成されており、前記固定手段４の両側面の内側面には、前記軸１０が水平方向に突出するように形成され、外側面の前記軸１０と同じ高さには、リブ１１が水平方向に突出するように形成されている。前記取り付け孔６に挿入された前記軸１０の先端は前記容器２内に位置するが、図６に示すように、前記取り付け孔６内に位置する部分に対し、径が広げられた形状となっている。前記軸１０の先端は、前記軸１０の取り付け孔６内に位置する部分の直径が３．８ｍｍの場合、前記第１孔７および前記第２孔８の直径よりも大きく、かつ、前記第３孔９の直径よりも小さくなるように、５ｍｍの直径とする。
【００２９】
前記軸１０の先端がこのように径が広げられた形状を有することにより、前記軸１０は、図５（ｂ），（ｃ）に示すように、前記第１孔７および前記第２孔８内に位置する時には前記取り付け孔６から抜けるのを防止される。そして、図５（ｄ）に示すように、前記軸１０が前記第３孔９内に位置する時には、前記取り付け孔６から前記軸１０を抜き取ることができるので、図４（ａ）に示すように、前記固定手段４を前記本体２から取り外すことが可能となる。
【００３０】
このような前記軸１０が設けられた固定手段４は、前記容器本体２に対して、２つの位置で回動可能に保持される。第１の位置は、前記軸１０が前記第１孔７内に位置する場合であり、この時、図１、図４（ｂ）に示すように、前記固定手段４は前記本体２に対して最も上方に取り付けられた状態となる。第２の位置は、前記軸１０が前記第２孔８内に位置する場合であり、この時、図２、３、９に示すように、前記固定手段４は前記本体２に対して最も下方に取り付けられた状態となり、前記固定手段４に力を加えて意図的に移動させない限り、それぞれの位置で回動可能に保持された状態が保たれる。
【００３１】
前記固定手段４を第１の位置から第２の位置へ移動させる場合、図８（ｂ）に示すように、前記固定手段４を垂直な状態にした上で前記リブ１１を上から押えて矢印で示すように下向き力を加える。すると、前記固定手段４の軸１０は前記取り付け孔６の接続部分を通過して前記第１孔７から前記第３孔９へ移動し、さらに、接続部分を通過して前記第２孔８内へと移動し、前記固定手段４は第２の位置に移動する。
【００３２】
前記固定手段４を第２の位置から第１の位置へ移動させる場合、前記固定手段４を垂直な状態にした上で前記リブ１１を引っ張り上げて上方向に力を加える。すると、前記固定手段４の軸１０は前記取り付け孔６の接続部分を通過して前記第２孔８から前記第３孔９へ、さらに、接続部分を通過して前記第１孔７内へと移動し、前記固定手段４は第１の位置に移動する。
【００３３】
前記固定手段４は、図１０に示すように、紙パック２０の注ぎ口を開けた時に邪魔にならないように、前記本体２の中心よりも後方に取り付ける。固定手段４の具体的な取り付け位置は、図４，９に示すように、前記固定手段４を垂直な状態にした時に、前記固定手段４の前側が、前記本体２の中心とほぼ一致するような位置とする。これは、一般的な紙パックは注ぎ口を開くと、紙パックの上方の前半分が開く構造に合わせたものであり、固定手段４の取り付け位置は、紙パック２０の注ぎ口の開閉を妨げない範囲で変更可能である。
【００３４】
次に、本発明の紙パック用ケース１の使用方法について説明する。最初に前記固定手段４を、前記軸１０が第１孔７内に位置する第１位置に配置する。そして、紙パック２０を本体２内に入れるために、前記固定手段４を後方に回動させて、図７（ａ）に示すような状態とし、前記本体２の上方を開放する。このような状態で、前記紙パック２０を、図７（ｂ）に示すように、前記本体２内へと矢印で示すように下方へと挿入する。前記紙パック２０を本体２の最も下方まで挿入すると、図８（ａ）の状態となる。このような状態では、まだ紙パック２０は固定されておらず、簡単に取り外すことができる。
【００３５】
その後、前記固定手段４を、図８（ａ）の矢印で示すように、前方へと回動させて、図８（ｂ）に示すように、前記固定手段４を垂直な状態で停止させる。その後、図８（ｂ）の矢印で示すように、前記固定手段４のリブ１１を下向きに押して、前記固定手段４を下方へと移動させる。
【００３６】
この時、前記固定手段４の軸１０は、図５（ｂ）に示す第１孔７内から接続部分を超えて、図５（ｄ）に示す第３孔９を通過し、さらに接続部分を超えて、図５（ｃ）に示す第２孔８へと移動する。前記軸１０が図５（ｃ）に示す第２孔８へと移動すると、前記固定手段４は、図９に示すように、前記本体２に対して最も下方に位置し、さらに、前記紙パック２０の上端部と当接する状態となる。
【００３７】
このようにして、図９に示すような前記固定手段４が前記紙パック２０の上端部と当接してを上から押える状態となると、前記固定手段４による前記紙パック２０の固定が完了する。このような状態では、前記紙パック２０は前記固定手段４によって上端部が上から押えられている状態であるために、図１０に示すように、紙パック用ケース１を傾けた状態にしても、前記紙パック２０は本体２から抜け出ることはなく、確実に本体２内に保持された状態となる。
【００３８】
同時に、前記固定手段４は、前記紙パック２０の上端部と前記固定手段４とが垂直に交わるように当接している状態であるために、前後に回動することが出来ないので、前記固定手段４を上方に移動させない限りは、前記固定手段４に不用意な力が加わったとしても、紙パック２０の固定が解除されることはなく、安心して使用することができる。
【００３９】
このように固定手段４によって紙パック２０が固定された状態で、紙パック２０の注ぎ口を開いて紙パック用ケース１を、図１０に示すように傾けると、これまでの紙パックと同様に紙パック２０内の牛乳等を容器に注ぐことができる。この時に、ハンドル３を持って傾ける動作を行うことで、握力の弱い老人や子供等でも簡単に注ぐことが可能となる。また、結露などで紙パック２０の表面が濡れていたとしても、直接紙パック２０を持つことが無いので、手を滑らせることもなく安全に使用することができる。
【００４０】
また、前記紙パック２０の注ぎ口を開ける場合にも、前記固定手段４が容器２の中心から後方にオフセットされて配置されていることから、支障なく注ぎ口の開け閉めを行うことができる。さらに、紙パック用ケース１を樹脂等で形成すると、軽量に仕上げることができるので、従来の紙パックだけの場合に比べてもそれほど重さを意識することなく使用することができる。
【００４１】
前記紙パック用ケース１から紙パック２０を取りだすためには、まず初めに、前記固定手段４の前記リブ１１を引っ張り上げて前記固定手段４を上方に移動させる。この時、前記固定手段４の軸１０は、前記第２孔８による保持が解除され、接続部を乗り越え、前記第３孔９を通過し、さらに接続部を乗り越えて前記第１孔７へと移動され、前記軸１０は前記第１孔７内に回転可能に保持される。
【００４２】
このようにして前記固定手段４を上方に移動させて、前記軸１０を第１孔７内に移動させると、図８（ｂ）に示すように、前記固定手段４と前記紙パック２０との間にスペースが出来るの。このようなスペースが出来ると、前記固定手段４は回動可能になるので、前記固定手段４を後方に回動させると、図８（ａ）に示すように、前記紙パック２０を上方に取り出すことが可能な状態になる。このような状態になれば、前記紙パック２０を引っ張りだすことで簡単に取り出すことができる。
【００４３】
前記紙パック用ケース１を洗う時等のために、前記固定手段４を前記本体２から取り外す方法について説明する。前記固定手段４の軸１０が、例えば、第１孔７内に保持されている場合は、前記リブ１１に力を加えて前記軸１０の前記第１孔７による保持を解除し、前記第３孔９内へ移動させる。すると、前記第３孔９の直径は、前記軸１０の拡大された先端の直径よりも広いために、前記固定手段４の両側面を外側に広げると、前記軸１０を前記第３孔９から抜くことができるので、図４（ａ）に示すように、簡単に前記固定手段４を前記本体２から取り外すことができる。
【００４４】
また、前記固定手段４を前記本体２に取り付ける場合は、前記固定手段４の両側面を広げて、前記軸１０を前記第３孔９に位置合わせして、前記軸１０を前記第３孔９に挿入し、その後、前記リブ１１を用いて前記固定手段４を移動させて、前記軸１０を前記第１孔７へと移動させる。このようにすると、前記軸１０は前記第１孔７内で回転可能に保持され、図４（ｂ）、図７（ａ）に示すように、前記固定手段４が前記本体２に取り付けられる。このように簡単な動作で、固定手段４は本体２に対して着脱可能となっている。
【００４５】
本発明の紙パック用ケース１について、１Ｌの紙パックを収容するケースを用いて説明してきたが、対象とする紙パックの大きさは限定するものではなく、例えば、５００ｍｌの紙パックの場合でも、本体２の大きさを変更することで簡単に対応することができる。また、前記ハンドル３、前記固定手段４の形状は一例を示しており、他の形状に変更することも可能である。さらに、取り付け孔６の構造についても他の形状、あるいは、孔の数を変更することも可能である。
【００４６】
本発明の紙パック用ケース１を用いることで、握力の弱い老人や子供等でも簡単にそして安全に紙パックを利用することができるようになる。また、本体２の底面が紙パック２０の底面より面積が広くなることで、テーブル等に置いた時にも安定性が増加し、転倒の危険性を少なくする。そして、固定手段４によって確実に紙パック２０が固定されているので、紙パックを使用していた時と同じような動作を行っても、前記本体２から紙パック２０が出てくることなく安心して使用することができる。
【００４７】
さらに、別の形態の紙パック用ケース１２について説明する。紙パック用ケース１２は、紙パック用ケース１に用いている固定手段４にスリットを設けた固定手段１４を用いたものであり、他の構造については紙パック用ケース１と同じものを用いていることから、固定手段１４を中心に説明する。
【００４８】
紙パック用ケース１２は、図１１，１２に示すように、上部が開口となった本体２、前記本体２の背面に設けられたハンドル３、および前記紙パック２０を上方から押えて固定する固定手段１４からなる。前記本体２、前記ハンドル３は、紙パック用ケース１と同じ構造であり、前記本体２には、前記固定手段１４を取り付けるための取り付け孔６が設けられている。
【００４９】
前記固定手段１４は、図１１に示すように、両側面および上面の３つの面で構成されており、両側面の内側面には、前記本体２の取り付け孔６に挿入される軸１０が水平方向に突出するように形成され、両側面の外側面の前記軸１０と同じ高さには、リブ１１が水平方向に突出するように形成されている。そして、前記固定手段１４の上面の中央には、スリット１５を設けている。
【００５０】
前記スリット１５は、紙パック２０の上部のリブ状の部分を挟み込むためのものであり、前記固定手段１４によって前記紙パック２０を固定した時に、前記スリット１５に前記紙パック２０の上端部の一部（垂直なリブ状の部分の一部）が挿入される位置および大きさに形成する。前記スリット１５の大きさは、例えば、幅２ｍｍ、長さ１０ｍｍとする。スリット１５の大きさは適宜変更可能である。
【００５１】
前記スリット１５の使用方法について説明する。前記固定手段１４は、前記軸１０を前記本体２の取り付け孔６に挿入することで、前記本体２に対して回動可能に、かつ上下動可能に取り付けられている。このような前記固定手段１４によって、本体２内に収容された紙パック２０を固定する。紙パック２０を固定している時、前記固定手段１４の軸１０は前記取り付け孔６の第２孔８内に位置しており、図１２（ａ）に示すように、前記固定手段１４は前記容器本体２に対して最も下方に位置しており、前記紙パック２０の上端部と当接する位置にある。
【００５２】
図１２（ａ）のような状態から前記固定手段１４を前方へ回動させると、図１２（ｂ）、図１３の状態となり前記固定手段１４のスリット１５に、前記紙パック２０の上端部の一部（垂直なリブ状の部分の一部）が挿入される。前記スリット１５に挿入されている、前記紙パック２０の上端部の一部（垂直なリブ状の部分の一部）は、前記紙パック２０の注ぎ口となる開口部分を閉じた箇所であり、前記スリット１５に挿入されて、挟まれた状態となることで、前記固定手段１４によって開口を閉じた状態に保つことが可能となる。
【００５３】
このように、前記固定手段１４のスリット１５を用いて前記紙パック２０の開口部分を閉じた状態で固定することができれば、紙パック２０をそのままの状態で置いておくよりも、密閉度を高めることができるので衛生面での効果が期待できる。
【００５４】
紙パック２０から液体をコップなどに注ぐために開口部分を開ける場合には、前記固定手段１４を後方に回動させて、図１２（ｂ）の状態にして前記スリット１５による前記紙パック２０の上端部の一部（垂直なリブ状の部分の一部）の挟み込みを解除する。図１２（ｂ）の状態であれば、紙パック２０の開口部分を開けることができ、また、固定手段１４によって紙パック２０は固定されているので、紙パック２０を傾けても紙パック用ケース１２から抜け出ることは無い。
【００５５】
このように、スリット１５を設けた固定手段を用いることで、紙パック用ケース１２は、紙パック２０の固定だけでなく、開口部部を閉じる機能を有することが可能になり、衛生面においても優れた効果を奏するものとなる。
【符号の説明】
【００５６】
１    紙パック用ケース
２    本体
３    ハンドル
４    固定手段
５    切り欠き
６    取り付け孔
７    第１孔
８    第２孔
９    第３孔
１０  軸
１１  リブ
１２  紙パック用ケース
１４  固定手段
１５  スリット
２０  紙パック
【図１】
2014088211.tif 000003
【図２】
2014088211.tif 000004
【図３】
2014088211.tif 000005
【図４】
2014088211.tif 000006
【図５】
2014088211.tif 000007
【図６】
2014088211.tif 000008
【図７】
2014088211.tif 000009
【図８】
2014088211.tif 000010
【図９】
2014088211.tif 000011
【図１０】
2014088211.tif 000012
【図１１】
2014088211.tif 000013
【図１２】
2014088211.tif 000014
【図１３】
2014088211.tif 000015